(57)【特許請求の範囲】
【請求項１】
流体継手及び湿式摩擦クラッチを収容した継手ハウジングの底部に開口を設け、この開口を通過して落下する作動流体を貯留するためのオイルパンの外周辺に形成された取付部を前記継手ハウジングの底部にシール部材を介して密着させて取り付け、前記開口を通過する作動流体を瀘過するフィルタの周囲に枠体を形成し、この枠体を前記継手ハウジングの底部の開口に段差を付けて形成した溝とオイルパンの取付部との間に挟み込み、前記シール部材の内周には前記枠体に接する隆起部を形成したことを特徴とするストレーナ。
【請求項２】
前記シール部材が弾性を有し、前記隆起部の高さが前記溝の幅と前記枠体の厚みとの差よりも大きいことを特徴とする請求項１記載のストレーナ。
【請求項３】
前記シール部材は、厚み方向への反りが形成されたソフトメタルパッキンであることを特徴とする請求項１又は２記載のストレーナ。
【発明の詳細な説明】
【０００１】
【発明の属する技術分野】
本発明は、流体継手及び湿式摩擦クラッチのためのストレーナに係り、特に、作動流体の瀘過を確実にするストレーナに関するものである。
【０００２】
【従来の技術】
クラッチ自動制御式車両（以下、ＡＴ車）は、エンジンと変速機との間にロックアップクラッチを内蔵した流体継手と湿式摩擦クラッチとを設け、発進時には流体継手のクリープ制御、発進後にはロックアップクラッチ接の制御、制動時にはロックアップクラッチ断の制御を行う共に、変速時には湿式摩擦クラッチ断・接の制御を行う制御部を設けたものである。
【０００３】
ＡＴ車の変速機は、マニュアル式と同じくチェンジレバーの操作をメカニカルに伝達する機構を有するが、クラッチペダルはなく、チェンジレバー内にドライバの操作意図を検出するセンサが組み込まれており、この操作意図に応じて制御部がアクチュエータを用いて湿式摩擦クラッチ断・接を制御することになる。即ち、ドライバが変速操作をするときは湿式摩擦クラッチを断に制御することでシフト操作を可能にする。そして、シフト操作が終了したところで湿式摩擦クラッチを接に制御する。このように、湿式摩擦クラッチは、専ら変速のために使用されるので、以下、変速クラッチという。
【０００４】
流体継手は、内蔵しているロックアップクラッチが断の状態ではクリープ制御が可能であり、発進時の半クラッチはクリープ制御で実現される。ロックアップクラッチが接の状態では、エンジンと変速クラッチとを直結したのと同等の状態となるので、発進した後は、ロックアップクラッチを接に制御することにより、伝達効率を高めることができる。このように、流体継手は、発進、走行、停止のために使用される。流体継手の構造は後に詳しく述べる。
【０００５】
一方、坂道発進補助装置（以下、ＨＳＡ）付き車両は、ブレーキペダルの踏み込みをブレーキ部材に伝達するためのブレーキ液圧系に、制御部からの制御によって所望のブレーキ液圧を保持するアクチュエータを挿入し、ブレーキペダルの踏み込みがなくともブレーキ力が制御できるようにしたものである。これにより、坂道発進の際にドライバがブレーキペダルを離しても車両が後退しないので、ドライバは簡単に坂道発進ができる。
【０００６】
ただし、従来のＨＳＡ付き車両（ＡＴ車でないもの）における制御は、クラッチが半クラッチになる位置を予め学習しておき、坂道発進の際にその位置にクラッチが来たら、保持していたブレーキ液圧を開放するようになっている。ブレーキ液圧を開放してもクラッチが半クラッチになってエンジントルクが車輪に伝わっているので車両は後退することなく発進できる。
【０００７】
本出願人は、前記ＡＴにＨＳＡを導入した新規な車両を開発するにあたり、ＨＳＡの好ましい作動手順・解除手順等を作成する一方で、流体継手や湿式摩擦クラッチの信頼性を高めるべく、ストレーナのシール構造に改良を試みた。
【０００８】
【課題を解決するための手段】
上記目的を達成するために本発明は、流体継手及び湿式摩擦クラッチを収容した継手ハウジングの底部に開口を設け、この開口を通過して落下する作動流体を貯留するためのオイルパンの外周辺に形成された取付部を前記継手ハウジングの底部にシール部材を介して密着させて取り付け、前記開口を通過する作動流体を瀘過するフィルタの周囲に枠体を形成し、この枠体を前記継手ハウジングの底部の開口に段差を付けて形成した溝とオイルパンの取付部との間に挟み込み、前記シール部材の内周には前記枠体に接する隆起部を形成したものである。
【０００９】
フィルタは、取り外して洗浄したり、新品と交換したりする必要がある。このために、オイルパンを継手ハウジングから着脱可能に構成し、継手ハウジングとオイルパンとの間にフィルタを挟み込むようになっている。フィルタは、メッシュ或いは多孔に形成された瀘過材とその瀘過材の周囲を補強する枠体とからなる。このフィルタの枠体を継手ハウジングの底部に開口を取り巻いてに形成した溝とオイルパンの外周辺に形成された取付部との間に挟み込むことになる。図２にオイルパンの取り付け構造を示し、図３にその要部を拡大して示す。
【００１０】
ところで、オイルパン５８と継手ハウジング２との接合部分のシール性を確保するためには、オイルパン５８の取付部５９を継手ハウジング２の底部４９に密着させる必要がある。３００は、従来からあるシール部材である。このとき、フィルタ６１の枠体２０１の厚みが溝２０２の幅より大きいと、オイルパンの取付部５９を継手ハウジング９の底部４９に密着させることが困難になる。そこで、現状では、溝の幅ａが枠体の厚みｂより大きいように構成せざるを得ない。しかし、溝の幅ａが枠体の厚みｂより大きいと、図３に示されるように、オイルパン５８と枠体２０１との間や溝２０２と枠体２０１との間に隙間ができてしまう。このため、矢印のように、この隙間を通って汚れた作動流体が吸い込み通路５１に流入することが懸念される。
【００１１】
そこで、本発明の目的は、上記課題を解決し、作動流体の瀘過を確実にするストレーナを提供することにある。
【００１２】
【課題を解決するための手段】
上記目的を達成するために本発明は、流体継手、湿式摩擦クラッチ等の流体機構を収容した継手ハウジングの底部に開口を設け、この開口を通過する落下する作動流体を貯留するためのオイルパンの外周辺に形成された取付部を前記継手ハウジングの底部にシール部材を介して密着させて取り付け、前記開口を通過する作動流体を瀘過するフィルタの周囲に枠体を形成し、この枠体を前記継手ハウジングの底部に形成した溝とオイルパンの取付部との間に挟み込み、前記シール部材の内周には前記枠体に接する隆起部を形成したものである。
【００１３】
前記シール部材が弾性を有し、前記隆起部の高さが前記溝の幅と前記枠体の厚みとの差よりも大きくてもよい。
【００１４】
前記シール部材は、厚み方向への反りが形成されたソフトメタルパッキンであってもよい。
【００１５】
【発明の実施の形態】
以下、本発明の一実施形態を添付図面に基づいて詳述する。
【００１６】
図１に、本発明のストレーナにおけるオイルパンの取り付け構造の要部（図２の円Ａ）を拡大して示す。図示されるように、継手ハウジング２の底部４９に設けられた開口５０の一部は吸い込み通路５１である。オイルパン５８の外周辺に形成された取付部５９は、継手ハウジング２の底部４９にシール部材２００を介して密着させて取り付けられている。フィルタ６１の周囲に形成された枠体２０１は、継手ハウジング２の底部４９の開口５０のところに段差を付けるようにして形成された溝２０２とオイルパン５８の取付部５９との間に挟み込まれている。シール部材２００の内周には枠体２０１に接する隆起部２０３が形成されている。このシール部材２００は弾性を有し、隆起部２０３の高さが溝２０２の幅ａと枠体２０１の厚みｂとの差よりも大きい。この実施形態では、シール部材２００は、外周が平坦で内周に厚み方向への反り２０４が形成されたソフトメタルパッキンである。ソフトメタルパッキンとは、薄い鉄板の両面にゴムをコーティングしたものである。一方、枠体２０１は、樹脂で形成されている。
【００１７】
図２に示されるように、オイルパン５８は、平坦な底面部２０５と、その底面部２０５の周囲から立ち上がってオイルパン５８の側面を形成する取付部５９とからなる。取付部５９の上面は、これに重ね合わされる継手ハウジング２の底部４９と共に、平坦かつ滑らかに形成されている。
【００１８】
図１のストレーナの作用・効果を説明する前に、流体継手及び変速クラッチからなる動力伝達装置の構造を図４〜図６により説明しておく。
【００１９】
図４に示されるように、動力伝達装置は、エンジン（図の左側）に装着されたハウジング１に継手ハウジング２がボルト３で締結して取り付けられ、その継手ハウジング２に変速機（図の右側）のケース４がボルト５で締結して取り付けられている。継手ハウジング２は、中間壁６によって流体継手収容室７と湿式摩擦クラッチ収容室８とに区画されている。
【００２０】
流体継手９は、継手ハウジング２の流体継手収容室７内に配設されている。流体継手９は、ケーシング１０とポンプ１１とタービン１２とを備えている。
【００２１】
ケーシング１０は、エンジンのクランク軸１３に内周部がボルト１４で締結して取り付けられたドライブプレート１５の外周部にボルト１６で締結して取り付けられている。このドライブプレート１５の外周部には、図示しないスタータモータの駆動歯車と噛合する始動用のリングギア１７が取り付けられている。
【００２２】
ポンプ１１は、ケーシング１０と対向して配設されている。ポンプ１１は、断面輪郭が椀状のポンプシェル１８とそのポンプシェル１８内に放射状に配設された複数個のインペラ１９とを備えている。ポンプシェル１８は、ケーシング１０に溶接して取り付けられている。従って、ポンプシェル１８は、ケーシング１０及びドライブプレート１５を介してクランク軸１３に一体化されていることになる。このため、クランク軸１３は、流体継手９の入力軸として機能する。
【００２３】
タービン１２は、ポンプ１８とケーシング１０とによって形成された室の内部に配設されている。タービン１２は、ポンプシェル１８と対向して配設されている断面輪郭が椀状のタービンシェル２０とそのタービンシェル２０内に放射状に配設された複数個のランナ２１とを備えている。タービンシェル２０は、上記入力軸としてのクランク軸１３と同一軸線上に配設された出力軸２２にスプライン嵌合されたタービンハブ２３に溶接して取り付けられている。
【００２４】
流体継手９は、ケーシング１０とタービン１２とを直接伝動連結するためのロックアップクラッチ２４を備えている。ロックアップクラッチ２４は、ケーシング１０とタービン１２との間に配設されたクラッチディスク２５を備えている。クラッチディスク２５は、ケーシング１０との間に外側室２６を形成すると共に、タービン１２との間に内側室２７を形成する。このクラッチディスク２５の内周縁は、タービンハブ２３の外周に相対回転可能でかつ軸方向に摺動可能に支持されている。クラッチディスク２５の外周部には、ケーシング１０と対向する面にクラッチフェーシング２８が取り付けられている。クラッチディスク２５の外周部における内側室２７側には、環状の凹部２９が形成されている。この凹部２９には、それぞれ支持片３０によって支持された複数個のダンパースプリング３１が所定の間隔をおいて配設されている。これらの複数個のダンパースプリング３１の両側には、クラッチディスク２５に取り付けられた入力側リテーナ３２が突出して配設されていると共に、各ダンパースプリング３１間にはタービンシェル２０に取り付けられた出力側リテーナ３３が突出して配設されている。
【００２５】
ここで、ロックアップクラッチ２４の動作を説明する。
【００２６】
まず、内側室２７内の作動流体の圧力が外側室２６内の作動流体の圧力より高い場合、即ち、後述する流体作動手段によって供給される作動流体がポンプ１１とタービン１２とによって形成される作動室３４から内側室２７を通して外側室２６に流れる場合には、クラッチディスク２５が図４において左方向に押圧されるので、クラッチディスク２５に取り付けられたクラッチフェーシング２８がケーシング１０に押圧されて摩擦係合する。この動作をロックアップクラッチ接という。ロックアップクラッチ接においては、ケーシング１０とタービン１２とが、クラッチフェーシング２８、クラッチディスク２５、入力側リテーナ３２、出力側リテーナ３３を介して直接伝動連結される。
【００２７】
一方、外側室２６内の作動流体の圧力が内側室２７内の作動流体の圧力より高い場合、即ち、後述する流体作動手段によって供給される作動流体が外側室２６から内側室２７を通して作動室３４に循環する場合には、クラッチディスク２５が図４において右方向に押圧されるので、クラッチディスク２５に取り付けられたクラッチフェーシング２８はケーシング１０と摩擦係合しない。この動作をロックアップクラッチ断という。ロックアップクラッチ断においては、ケーシング１０とタービン１２との伝動連結は解除される。
【００２８】
動力伝達装置の構造の説明に戻る。
【００２９】
継手ハウジング２の中間壁６には、流体継手収容室７と湿式摩擦クラッチ収容室８とを区画するポンプハウジング４０、４１がボルトで締結されて取り付けられている。このポンプハウジング４０、４１内には後述する流体作動手段の流体圧源としての油圧ポンプ４２が配設されている。また、ポンプハウジング４０、４１には流体作動手段を構成する各制御弁が配設されていると共に作動流体通路が形成されている。ポンプハウジング４０、４１内に配設された油圧ポンプ４２は、ポンプハブ４３によって回転駆動されるように構成されている。ポンプハブ４３は、ポンプ１１のポンプシェル１８に取り付けられていると共に、ポンプハウジング４０に軸受を介して回転可能に支持されている。また、ポンプハウジング４０、４１には、油圧ポンプ４２の吸入口に連通する吸入通路４４が形成されている。
【００３０】
ポンプハブ４３の外周面とポンプハウジング４０の端部との間には、オイルシール４５が配設されている。また、ポンプハブ４３と出力軸２２との間には、筒状部材が配設されており、この筒状部材とポンプハブ４３との間に流体継手９のポンプ１１とタービン１２とにわって形成される作動室３４と連通する通路４７が形成されている。出力軸２２には作動流体の通路４８が設けられている。この通路４８は、その一端が出力軸２２の図において左端面に開口し、外側室２６と連通しており、その他端が出力軸２２の外周面に開口している。
【００３１】
湿式摩擦クラッチ収容室８を形成する継手ハウジング２の底壁４９には開口５０が形成されている。また、継手ハウジング２にはポンプハウジング４０、４１に形成された吸入通路４４と開口５０の一部（図５において開口５０の左方の一部）とを連通する吸い込み通路５１が形成されている。この吸い込み通路５１は、継手ハウジング２の下方部を形成する一方の側壁５２（図５）と、中間壁６の下部と、継手ハウジング２の仕切り壁５３から吸入通路４４に向けて形成された縦壁５４（図５）及びその縦壁５４の上端と一方の側壁５２とを接続する上壁５５とによって構成されている。上壁５５の先端は上記他方のポンプハウジング４１に吸入通路４４の開口に沿って当接するように構成されている。また、継手ハウジング２には、湿式摩擦クラッチ収容室８と開口５０の他部とを連通する落下通路５６（図５）が設けられている。この落下通路５６は、縦壁５４と継手ハウジング２の下方部を形成する他方の側壁５７（図５）とによって構成されている。
【００３２】
継手ハウジング２の底面には、開口５０を覆うオイルパン５８（図５）が取り付けられている。このオイルパン５８は、オイルパン５８の外周辺に形成された取付部５９（図５）が複数個の締付ボルト６０（図５）によって継手ハウジング２の底面に取り付けられている。オイルパン５８と開口５０との間にはフィルタ６１（図５）が取り付けられている。このフィルタ６１は、枠体６２（図５）とその枠体６２における吸い込み通路５１に対応する開口５０の一部に相当する部分に取り付けられた瀘過材６３（図５）とからなっており、枠体６２が継手ハウジング２の底壁とオイルパン５８の外周辺に形成された取付部５９とによって挟持されている。オイルパン５８には、縦壁の下端面と対向する位置に支持部材６４（図５）が設けられている。
【００３３】
湿式摩擦クラッチ収容室８を構成する継手ハウジング２の底壁４９に設けられた開口５０を覆うオイルパン５８には作動流体が収容されており、この作動流体が油圧ポンプ４２の作動によりフィルタ６１を通して吸い込まれるようになっている。
【００３４】
湿式摩擦クラッチ７０は、継手ハウジング２の湿式摩擦クラッチ収容室８内に配設されている。湿式摩擦クラッチ７０は、クラッチアウタ７１とクラッチセンタ７２とを備えている。クラッチアウタ７１は、ドラム状に形成されており、その内周部には流体継手９の出力軸２２とスプライン嵌合するハブ７３が設けられている。クラッチアウタ７１の外周部内面には、内歯スプライン７４が設けられており、この内歯スプライン７４に複数枚の摩擦板７５が軸方向に摺動可能に嵌合されている。また、クラッチアウタ７１の中間部には環状のシリンダ７６が形成されており、その環状のシリンダ７６を構成する内周壁がポンプハウジング４１のボス部７７の外周面に相対回転可能に嵌合されている。環状のシリンダ７６内には、摩擦板７５と後述する摩擦板７８とを押圧するための押圧ピストン７９とが配設されている。この環状のシリンダ７６と押圧ピストン７９とによって形成される液圧室８０は、環状のシリンダ７６を構成する内周壁に設けられた通路及びポンプハウジング４１のボス部７７に設けられた通路を介して後述する流体作動手段に連通している。クラッチアウタ７１のハブ７３と押圧ピストン７９との間にはプレート８１が取り付けられている。このプレート８１と押圧ピストン７９との間に圧縮コイルバネ８２が配設されている。従って、押圧ピストン７９は、圧縮コイルバネ８２のバネ力によって常に図４において左方向に移動すべく押圧されている。
【００３５】
クラッチセンタ７２は、円盤状に形成されており、その内周部には変速機（図の右側）の入力軸８３とスプライン嵌合するハブ８４が設けられている。クラッチセンタ７２の外周面には、外歯スプライン１８５が設けられており、この外歯スプライン８５に複数枚の摩擦板７８が軸方向に摺動可能に嵌合されている。クラッチセンタ７２に取り付けられた複数枚の摩擦板７８とクラッチアウタ７１に取り付けられた複数枚の摩擦板７５とは、それぞれ交互に配設されている。クラッチセンタ７２のハブ８４とクラッチアウタ７１のハブ７３との間及びクラッチアウタ７１のハブ７３とポンプハウジング４１のボス部７７との間には、それぞれスラスト軸受８６、８７が配設されている。
【００３６】
ここで、湿式摩擦クラッチ７０の動作を説明する。
【００３７】
湿式摩擦クラッチ７０では、後述する流体作動手段によって作動流体が液圧室８０に供給されない図４の状態において、押圧ピストン７９は圧縮コイルバネ８２のバネ力によって左方位置（係合解除位置）に位置付けられている。このため複数枚の摩擦板７８と複数枚の摩擦板７５とは押圧されないので、複数枚の摩擦板７８と複数枚の摩擦板７５とが係合せず、流体継手９の出力軸２２から変速機の入力軸８３への動力伝達が遮断されている。後述する流体作動手段によって作動流体が液圧室８０に供給されると、押圧ピストン７９は圧縮コイルバネ８２のバネ力に抗して図４の右方へ移動する。この結果、複数枚の摩擦板７８と複数枚の摩擦板７５とが押圧され互いに摩擦係合するので、流体継手９の出力軸２２の動力は、クラッチアウタ７１、複数枚の摩擦板７５、複数枚の摩擦板７８及びクラッチセンタ７２を介して変速機の入力軸８３に伝達される。
【００３８】
湿式摩擦クラッチ７０では、複数枚の摩擦板７５及び複数枚の摩擦板７８を冷却するために、流体継手９を循環する作動流体が後述する流体作動手段によって供給されるよう構成されている。流体継手９の出力軸２２の外周面とポンプハウジング４１のボス部７７との間には通路８８が形成されており、この通路８８が後述する流体作動手段に連通している。この通路８８に供給された作動流体は、出力軸２２とクラッチアウタ７１のハブ７３との間に入りスラスト軸受８７を潤滑した後に、複数枚の摩擦板７５及び複数枚の摩擦板７８に供給される。また、この通路８８に供給された作動流体は、スラスト軸受８６を潤滑した後に、クラッチアウタ７１の設けられた通路を通って複数枚の摩擦板７５及び複数枚の摩擦板７８に供給される。流体継手９の出力軸２２には上記通路８８と入力軸８３を支持する支持部とを連通する通路８９が設けられている。従って、通路８８に供給された作動流体は、通路８８を通して入力軸８３を回転自在に支持する軸受を潤滑し、さらに入力軸８３とクラッチセンタ７２のハブ８４とのスプライン嵌合部を潤滑する。このように湿式摩擦クラッチ７０の各部を潤滑ないし冷却した作動流体は、湿式摩擦クラッチ収容室８に放出され、落下通路５６（図５）を通り、開口５０を通り、オイルパン５８に貯留される。
【００３９】
次に、流体作動手段１００について図６により説明する。なお、図６の流体回路図に付した符号のうち、図４、図５の構造図に付した符号と同じものは同一部材を表す。
【００４０】
図６に示されるように、流体作動手段１００は、油圧ポンプ４２が作動することにより、オイルパン５８に貯留された作動流体をフィルタ６１、吸い込み通路５１及び吸入通路４４を通して吸い込み、後述するように循環させる。油圧ポンプ４２によって吸い込まれた作動流体は、通路１０１に吐出される。通路１０１に吐出された作動流体は、通路１０２及びロックアップクラッチ用方向制御弁１０３を介して上記出力軸２２に設けられた通路４８と連通する通路１０４、又は流体継手９の作動室３４に連通する通路４７と連通する通路１０５に供給される。ロックアップクラッチ用方向制御弁１０３にパイロット圧を作用させるために、通路１０１とロックアップクラッチ用方向制御弁１０３とを連絡するパイロット通路１０６が設けられており、このパイロット通路１０６にロックアップクラッチ用電磁方向制御弁１０７が配設されている。ロックアップクラッチ用電磁方向制御弁１０７は、車両の走行速度に基づいて車両の走行速度が所定値以上になると図示しない制御手段によって付勢（オン）される。
【００４１】
ロックアップクラッチ用電磁方向制御弁１０７が除勢（オフ）している図４に示す状態のときには、パイロット通路１０６が遮断されており、ロックアップクラッチ用方向制御弁１０３にはパイロット圧が作用しない。従って、ロックアップクラッチ用方向制御弁１０３は図６に示す状態に位置付けられており、通路１０２と通路１０４とが連通すると共に、通路１０５と戻り通路１０８とが連通する。この結果、油圧ポンプ４２によって通路１０１に吐出された作動流体は、通路１０２、通路１０４、通路４８、流体継手９の外側室２６、内側室２７、ポンプ１１とタービン１２とによって形成される作動室３４、通路４７、通路１０５、戻り通路１０８、この戻り通路１０８に配設された逆止弁及び冷却器１０９を通してオイルパン５８に循環される。このように作動流体が循環するときは、外側室２６の流体圧が内側室２７の流体圧より高いので、ロックアップクラッチ２４の動作説明で述べたように、ロックアップクラッチ２４は摩擦係合しない（ロックアップクラッチ断）。
【００４２】
一方、ロックアップクラッチ用電磁方向制御弁１０７が付勢（オン）されると、パイロット通路１０６が連通され、ロックアップクラッチ用方向制御弁１０３にはパイロット圧が作用してロックアップクラッチ用方向制御弁１０３が作動し、通路１０２と通路１０５とが連通すると共に、通路１０４が湿式摩擦クラッチ収容室８及び落下通路５６を通してオイルパン５８と連通する。この結果、油圧ポンプ４２によって通路１０１に吐出された作動流体は、通路１０２、通路１０５、通路４７、ポンプ１１とタービン１２とによって形成される作動室３４、内側室２７、外側室２６、通路４８、通路１０４、湿式摩擦クラッチ収容室８及び落下通路５６を通してオイルパン５８に循環される。このように作動流体が循環するときは、内側室２７の流体圧が外側室２６の流体圧より高いので、ロックアップクラッチ２４の動作説明で述べたように、ロックアップクラッチ２４は摩擦係合する（ロックアップクラッチ接）。
【００４３】
なお、ロックアップクラッチ用電磁方向制御弁１０７は、付勢（オン）された状態において通路１０１の作動流体圧力が所定値より低く、ロックアップクラッチ用方向制御弁１０３に作用するパイロット圧が低い場合には、ロックアップクラッチ用方向制御弁１０３のスプールが中間位置に位置付けられて通路１０２が通路１０４及び通路１０５と連通するように構成されている。この作動形態に関連して、通路１０５と戻り通路１０８とを連通するバイパス通路１１０が設けられており、このバイパス通路１１０に絞りが配設されている。従って、油圧ポンプ４２の回転速度が低く、通路１０１の作動流体圧力が所定値より低い場合には、通路１０１に吐出された作動流体は、通路１０４、通路１０５、絞りを備えたバイパス通路１１０を通して循環される。
【００４４】
流体作動手段１００は、吸入通路４４と通路１０１とを結ぶリリーフ通路１１１を備えており、このリリーフ通路１１１にリリーフ弁１１２が配設されている。リリーフ弁１１２は、開弁圧がロックアップクラッチ２４のオン時においてクラッチディスク２５に取り付けられたクラッチフェーシング２８がケーシング１０に押圧されて摩擦係合するに必要な流体圧である例えば６ｋｇ／ｃｍ2 に設定されており、通路１０１内の作動流体圧が６ｋｇ／ｃｍ2 を越えると作動流体をリリーフ通路１１１を介して吸入通路４４に戻す。
【００４５】
流体作動手段１００は、湿式摩擦クラッチ７０の液圧室８０に連通された通路１１３と通路１０１とを連通する通路１１４及び通路１１５を備えている。この通路１１４と通路１１５との間に摩擦クラッチ用方向制御弁１１６が配設されている。摩擦クラッチ用方向制御弁１１６にパイロット圧を作用させるために、通路１０１と摩擦クラッチ用方向制御弁１１６とを連絡するパイロット通路１１７が設けられており、このパイロット通路１１７に摩擦クラッチ用電磁方向制御弁１１８が配設されている。摩擦クラッチ用電磁方向制御弁１１８は、除勢（オフ）されているときには、図６に示すようにパイロット通路１１７を連通しており、付勢（オン）されるとパイロット通路１１７の連通を遮断するように構成されている。
【００４６】
なお、摩擦クラッチ用方向制御弁１１６は、パイロット圧が作用していない状態では通路１１４と通路１１５との連通を遮断しており、パイロット圧が作用すると通路１１４と通路１１５とを連通するように構成されている。従って、摩擦クラッチ用電磁方向制御弁１１８が除勢（オフ）されているときには、摩擦クラッチ用方向制御弁１１６にパイロット圧が作用しているので、摩擦クラッチ用方向制御弁１１６は通路１１４と通路１１５とを連通する。この結果、油圧ポンプ４２によって通路１０１に吐出された作動流体が通路１１４、通路１１５、通路１１３、通路８９を介して湿式摩擦クラッチ７０の液圧室８０に供給されるので、湿式摩擦クラッチ７０の動作説明で述べたように、押圧ピストン７９が圧縮コイルバネ８２のバネ力に抗して図４の右方へ移動し、複数枚の摩擦板７８と複数枚の摩擦板７５とが押圧され互いに摩擦係合する。一方、摩擦クラッチ用電磁方向制御弁１１８が付勢（オン）されるとパイロット通路１１７の連通が遮断され、摩擦クラッチ用方向制御弁１１６にパイロット圧が作用しないので、通路１１４と通路１１５との連通が遮断されると共に、通路１１５が湿式摩擦クラッチ収容室８及び落下通路５６を通してオイルパン５８と連通する。この結果、湿式摩擦クラッチ７０の押圧ピストン７９は圧縮コイルバネ８２のバネ力によって図４において左方向に移動する。このため、複数枚の摩擦板７８と複数枚の摩擦板７５との摩擦係合が解除される。
【００４７】
流体作動手段１００は、通路１０１と流体継手９の出力軸２２の外周面とポンプハウジング４１のボス部７７との間に形成された通路８８とを連絡する通路を備えている。このため油圧ポンプ４２によって通路１０１に吐出された作動流体は、通路８８に常時供給される。従って、油圧ポンプ４２の作動時には通路８８に供給された作動流体が前述のようにスプライン嵌合部及び各軸受を潤滑すると共に、複数枚の摩擦板７５及び複数枚の摩擦板７８に供給される。このように、流体継手９に作動流体を循環させる流体作動手段１００は、作動流体を湿式摩擦クラッチ７０の各軸受を潤滑すると共に複数枚の摩擦板７５及び複数枚の摩擦板７８に供給する。
【００４８】
流体作動手段１００は、通路１０１に連通する通路１２０を有し、この通路１２０はバンドブレーキアクチュエータ１２１に連通している。バンドブレーキアクチュエータ１２１は、バンドブレーキ１２２を駆動するものである。バンドブレーキ１２２は、一端が固定され他端がバンドブレーキアクチュエータ１２１に取り付けられた帯状のバンド１２３を変速クラッチよりも出力側の軸１２４の周囲に巻き付けたものである。油圧ポンプ４２によって通路１０１に吐出された作動流体がバンドブレーキアクチュエータ１２１を短縮させることにより、バンド１２３が緩んで軸１２４が開放される。また、作動流体が供給されないとき、バンドブレーキアクチュエータ１２１がバネ力によって伸長するとバンド１２３が軸１２４を締め込んで固定する。
【００４９】
次に、変速機を含めた動力伝達装置の機能について図５により説明する。なお、図５のスケルトン図に付した符号のうち、図２、図３の構造図に付した符号と同じものは同一部材を表す。
【００５０】
図５に示されるように、動力伝達装置は、エンジン（図の左側）と変速機１３０との間に、ロックアップクラッチ２４を内蔵した流体継手９と湿式摩擦クラッチ（変速クラッチ）７０とが設けられている。既に説明したように、流体継手９は、ロックアップクラッチ接の制御を行うことにより、ケーシング１０とタービン１２とが直接伝動連結され、入力軸であるクランク軸１３と出力軸２２とが連結される。また、流体継手９は、ロックアップクラッチ断の制御を行うことにより、ケーシング１０とタービン１２との伝動連結は解除される。ロックアップクラッチが断の状態では、作動流体のクリープによってクランク軸１３の回転を出力軸２２に徐々に伝動させることができる。そして、既に説明したように、湿式摩擦クラッチ７０は、クラッチアウタ７１とクラッチセンタ７２とにおける摩擦板７５、７８の摩擦係合により流体継手９の出力軸２２の回転を変速機１３０の入力軸８３に伝達させることができる（湿式摩擦クラッチ接）。また、湿式摩擦クラッチ７０は、クラッチアウタ７１とクラッチセンタ７２とにおける摩擦板７５、７８の係合解除により、流体継手９の出力軸２２の回転から変速機１３０の入力軸８３を遮断することができる（湿式摩擦クラッチ断）。
【００５１】
変速機１３０は、入力軸８３と、その入力軸８３の同一軸線上に配置された出力軸１３１と、その出力軸１３１に平行に配置されたカウンタ軸１３２とを備えている。入力軸８３には入力軸８３に一体化されている駆動歯車１３３が設けられている。出力軸１３１には、出力軸１３１に一体化されている第一、第二の出力歯車１３４、１３５と、出力軸１３１の周囲で自由回転可能な、第一、第二、第三の変速用歯車１３６、１３７、１３８とが設けられている。カウンタ軸１３２には、カウンタ軸１３２に一体化されている第一、第二、第三、第四のカウンタ歯車１３９、１４０、１４１、１４２が設けられている。カウンタ軸１３２の第一カウンタ歯車１３８は、入力軸８３の駆動歯車１３３に常時噛合されている。従って、カウンタ軸１３２及び第一、第二、第三、第四のカウンタ歯車１３９、１４０、１４１、１４２は、常に入力軸８３の回転に対し、駆動歯車１３３と第一カウンタ歯車１３９との歯数比に応じた回転数比で回転する。さらに、第一、第二、第三の変速用歯車１３６、１３７、１３８は、それぞれ第二、第三、第四のカウンタ歯車１４０、１４１、１４２に常時噛合されている。従って、第一、第二、第三の変速用歯車１３６、１３７、１３８は、常にカウンタ軸１３２の回転に対し、各々の変速用歯車とカウンタ歯車との歯数比に応じた回転数比で回転する。
【００５２】
駆動歯車１３３には、第一出力歯車１３４と同径、同歯数で駆動歯車１３３に一体化されている補助歯車１４３が設けられている。また、第一変速用歯車１３６にも、第一出力歯車１３４と同径、同歯数で第一変速用歯車１３６に一体化されている補助歯車１４４が設けられている。そして、第一出力歯車１３４に噛合し、出力軸１３１の長手方向に移動可能な内歯歯車１４５によって、第一出力歯車１３４が駆動歯車１３３の補助歯車１４３、或いは第一変速用歯車１３６の補助歯車１４４に選択的に連結可能に構成されている。第二変速用歯車１３７と第三変速用歯車１３８とにも、それぞれ第二出力歯車１３５と同径、同歯数の補助歯車１４６、１４７が一体的に設けられている。そして、第二出力歯車１３５に噛合し、出力軸１３１の長手方向に移動可能な内歯歯車１４８によって、第二出力歯車１３５が第二変速用歯車１３７の補助歯車１４６或いは第三変速用歯車１３８の補助歯車１４７に選択的に連結可能に構成されている。
【００５３】
第一出力歯車１３４が駆動歯車１３３の補助歯車１４３に連結されたときには、出力軸１３１は、入力軸８３の回転に対し、１対１の回転数比で回転する。第一出力歯車１３４が第一変速用歯車１３６の補助歯車１４４に連結されたときには、出力軸１３１は、入力軸８３の回転に対し、駆動歯車１３３と第一カウンタ歯車１３９との歯数比及び第二カウンタ歯車１４０と第一変速用歯車１３６との歯数比の積に応じた回転数比で回転する。同様に、第二出力歯車１３５が第二変速用歯車１３７の補助歯車１４６或いは第三変速用歯車１３８の補助歯車１４７に連結されたときには、出力軸１３１は、入力軸８３の回転に対し、駆動歯車１３３と第一カウンタ歯車１３９との歯数比及び各々の変速用歯車１３７、１３８とカウンタ歯車１４１、１４２との歯数比の積に応じた回転数比で回転する。
【００５４】
変速機１３０の動作をまとめると、内歯歯車１４５、１４８の移動位置によって４種類の変速比で入力軸８３の回転を出力軸１３１に伝達することが可能である。内歯歯車１４５、１４８が図示のように中間的位置にあるときには、入力軸８３の回転は出力軸１３１に伝達されない（ニュートラル）。なお、内歯歯車１４５、１４８を移動させる機構は、車室内のシフトレバーに機械的に連結されており、シフトレバーによるポジション選択操作によって内歯歯車１４５、１４８の移動が達成される。
【００５５】
図５の動力伝達装置には、クランク軸１３の回転を検出するエンジン回転センサ１６０、流体継手９の出力軸２２の回転を検出する流体継手出力回転センサ  （タービン回転センサ）１６１、変速機１３０の入力軸８３の回転を検出する変速機入力回転センサ１６２が設けられている。各々の回転センサ１６０、１６１、１６２は、例えば、各々の軸に一体化している歯車に径方向外方から臨ませた電磁ピックアップで構成されている。
【００５６】
図４〜図７の動力伝達装置を備えたＡＴ車は、発進時には流体継手のクリープ制御を行い、発進後にはロックアップクラッチ接の制御を行い、変速時には湿式摩擦クラッチ断・接の制御を行う。その制御に際して既に説明したように、流体継手９及び湿式摩擦クラッチ７０において機構部材の移動、動力の伝達、潤滑、冷却などの目的に使用された作動流体は、継手ハウジング２の下に設けたオイルパン５８に回収される。オイルパン５８に貯留された作動流体は、流体作動手段１００の油圧ポンプ４２によって諸通路を介して目的箇所に供給される。
【００５７】
継手ハウジング２の底部４９に設けられた開口５０は、図５に示されるように、縦壁５４によって吸い込み通路５１と落下通路５６とに区画されている。従って、湿式摩擦クラッチ収容室８から落下通路５６を経て落下した作動流体は、フィルタ６１で瀘過され、オイルパン５８に貯留される。オイルパン５８に貯留された作動流体は、油圧ポンプ４２によって吸い込まれる際にフィルタ６１で瀘過され吸い込み通路５１を通って吸入通路４４に流入する。
【００５８】
本発明のストレーナにあっては、図１に示したように、シール部材２００の内周に形成された隆起部２０３の高さが溝２０２の幅ａと枠体２０１の厚みｂとの差よりも大きい。よって、継手ハウジング２とオイルパン５８とを締付ボルト６０で締結したとき、オイルパン５８の外周辺に形成された取付部５９が継手ハウジング２の底部４９にシール部材２００を介して密着すると同時に、隆起部２０３が付勢されて枠体２０１に密着する。従って、オイルパン５８と枠体２０１との間や溝２０２と枠体２０１との間に隙間は形成されない。図１では構造を判りやすくするために、各部材間に隙間を描いたが、実際には各部材が互いに密着し、シール効果を発揮する。このため、オイルパン５８から吸い込み通路５１に流入する作動流体は、必ずフィルタ６１で瀘過されることになる。
【００５９】
このように、瀘過されない作動流体が吸入通路４４に流入することが防止されるので、油圧系には清浄な作動流体が供給されることになり、不具合が発生しなくなる。
【００６０】
上記のシール効果は、吸い込み通路５１に限らず、落下通路５６においても発揮される。即ち、使用済みの作動流体が落下通路５６からオイルパン５８に回収される際にも、溝２０２と枠体２０１との間に隙間が形成されないので、作動流体は、必ずフィルタ６１で瀘過されることになる。
【００６１】
【発明の効果】
本発明は次の如き優れた効果を発揮する。
【００６２】
（１）シール部材の内周に枠体に接する隆起部を形成したので、シール性が確保される。
【００６３】
（２）継手ハウジングにオイルパンを取り付けると、シール部材が付勢されて枠体に密に接するので、よりシール性が確保される。
【００６４】
（３）反りのあるソフトメタルパッキンをシール部材としたので、構造が簡素で安価なシール部材が実現できる。
【図面の簡単な説明】
【図１】本発明の一実施形態を示すストレーナの吸い込み通路部分の要部拡大断面図である。
【図２】ストレーナの吸い込み通路部分の断面図である。
【図３】従来のストレーナの吸い込み通路部分の要部拡大断面図である。
【図４】本発明を適用する流体継手及び変速クラッチからなる動力伝達装置の軸に沿った断面図である。
【図５】図４の動力伝達装置の変速クラッチ部分の軸に直角な断面図である。
【図６】図４の動力伝達装置の作動流体を供給する流体作動手段の回路図である。
【図７】変速機を含めた図４の動力伝達装置のスケルトン図である。
【符号の説明】
９  流体継手
４９  継手ハウジングの底部
５０  開口
５８  オイルパン
５９  取付部
６１  フィルタ
７０  湿式摩擦クラッチ
１００  流体作動手段
１３０  変速機
２００  シール部材
２０１  枠体
２０２  溝
２０３  隆起部
２０４  反り
【図１】
0003991610.tif 000002
【図２】
0003991610.tif 000003
【図３】
0003991610.tif 000004
【図４】
0003991610.tif 000005
【図５】
0003991610.tif 000006
【図６】
0003991610.tif 000007
【図７】
0003991610.tif 000008